(57)【要約】 【課題】  ノズルの先端に残った泡や液体の蒸発を促進することにより、液垂れを防止することが可能なディスペンサ装置を提供する。【解決手段】  泡生成部１４，１５は、液体と気体が導入され、液体と気体が混合された泡状の液体を生成する。第１ポンプ１２は、液体を泡生成部に送る。第２ポンプ１３は、気体を泡生成部に送る。ノズル本体１６（１６−１）は、泡生成部から供給される泡状の液体を吐出する吐出口を有する。センサ１７は、対象物が近付いたことを検出する。制御部１８は、センサの出力信号に応じて第１ポンプ１２及び第２ポンプ１３の動作を制御する。制御部１８は、吐出口から泡状の液体の吐出を停止する前に、第１ポンプ１２及び第２ポンプ１３の少なくとも１つの動作を制御することにより、吐出開始時に比べて、液体より気体の比率が高い泡状の液体を生成させる。【選択図】図１
2019018144.tif 000002
【特許請求の範囲】
【請求項１】
液体と気体が導入され、前記液体と前記気体が混合された泡状の液体を生成する泡生成部と、
前記液体を前記泡生成部に送る第１ポンプと、
前記気体を前記泡生成部に送る第２ポンプと、
前記泡生成部から供給される前記泡状の液体を吐出する吐出口を有するノズル本体と、
対象物が近付いたことを検出するセンサと、
前記センサの出力信号に応じて前記第１ポンプ及び前記第２ポンプの動作を制御する制御部と、
を具備し、
前記制御部は、前記吐出口から前記泡状の液体の吐出を停止する前に、前記第１ポンプ及び前記第２ポンプの少なくとも１つの動作を制御することにより、吐出開始時に比べて、前記液体より前記気体の比率が高い前記泡状の液体を生成させることを特徴とするディスペンサ装置。
【請求項２】
前記制御部は、前記第１ポンプを停止させる前に、前記第２ポンプによる前記気体の供給量を増加させることを特徴とする請求項１記載のディスペンサ装置。
【請求項３】
前記制御部は、前記第２ポンプを停止させる前に、前記第１ポンプによる前記液体の供給量を減少させることを特徴とする請求項１記載のディスペンサ装置。
【請求項４】
前記制御部は、前記第１ポンプを停止させた後、前記第２ポンプを停止させることを特徴とする請求項１記載のディスペンサ装置。
【請求項５】
前記ノズル本体は、前記吐出口の周囲に所定間隔離間して設けられた複数の突起を具備することを特徴とする請求項１記載のディスペンサ装置。
【請求項６】
前記ノズル本体は、前記吐出口の周囲に所定間隔離間して設けられた複数のリブを具備し、
前記複数のリブのそれぞれは、水平な面を有することを特徴とする請求項５記載のディスペンサ装置。
【請求項７】
前記ノズル本体は、前記吐出口の周囲に所定間隔離間して設けられた複数のリブを具備し、
前記複数のリブのそれぞれは、前記吐出口から離れるに従って、前記吐出口より下方に向かう傾斜面を有することを特徴とする請求項５記載のディスペンサ装置。
【発明の詳細な説明】
【技術分野】
【０００１】
本発明の実施形態は、例えば泡状の液体を吐出するディスペンサ装置に関する。
【背景技術】
【０００２】
例えば使用者の手などの対象物が近付いたことをセンサにより検出し、ポンプを作動させて石鹸水と空気を混合させて泡化し、泡状の液体（単に、泡とも言う）ノズルから吐出させる装置が開発されている（例えば特許文献１参照）。
【０００３】
ノズルが下向きである場合、ノズルから泡状の液体を吐出した後、ノズルの先端に残った泡や、泡が消失して生じた液体は、液垂れの原因となる。ノズルから垂れた液滴は、滴下面を汚したり、液滴の成分によっては、滴下面を変質、又は変色させたりすることがある。このため、ノズルの先端に設けた流路を狭めたり、ノズルの吐出口の周囲の表面積を増加させたりして、表面張力などの分子間力を増加させることにより、液垂れを防止する技術が開発されている。（例えば特許文献２、特許文献３、特許文献４、特許文献５、特許文献６参照）。
【先行技術文献】
【特許文献】
【０００４】
【特許文献１】特開２０１７−１２９７１号公報
【特許文献２】特開２０１３−１２１３７７号公報
【特許文献３】特開２０１３−１２１３７８号公報
【特許文献４】特開２０１０−０３０６１３号公報
【特許文献５】特表２０１１−５２１７５５号公報
【特許文献６】特開２０１６−１９３００１号公報
【発明の概要】
【発明が解決しようとする課題】
【０００５】
上記のように、ノズルの先端の形状を工夫することにより、表面張力などの分子間力を増加させてノズルの先端に泡を留めることができたとしても、ディスペンサ装置が設置された場所の湿度などの条件によっては、ノズルの先端に残った泡が自然乾燥により蒸発する速度より、ノズルの先端に残った泡が消えて液化する速度のほうが速い場合がある。この場合、分子間力によりノズルの先端に液体を留めることが困難となり、液垂れが発生する。したがって、ノズルの先端に残った泡の蒸発を促進させることが要望されている。
【０００６】
本発明の実施形態は、ノズルの先端に残った泡の蒸発を促進することにより、液垂れを防止することが可能なディスペンサ装置を提供する。
【課題を解決するための手段】
【０００７】
本実施形態のディスペンサ装置は、液体と気体が導入され、前記液体と前記気体が混合された泡状の液体を生成する泡生成部と、前記液体を前記泡生成部に送る第１ポンプと、前記気体を前記泡生成部に送る第２ポンプと、前記泡生成部から供給される前記泡状の液体を吐出する吐出口を有するノズル本体と、対象物が近付いたことを検出するセンサと、前記センサの出力信号に応じて前記第１ポンプ及び前記第２ポンプの動作を制御する制御部と、を具備し、前記制御部は、前記吐出口から前記泡状の液体の吐出を停止する前に、前記第１ポンプ及び前記第２ポンプの少なくとも１つの動作を制御することにより、吐出開始時に比べて、前記液体より前記気体の比率が高い前記泡状の液体を生成させる。
【図面の簡単な説明】
【０００８】
【図１】本実施形態に係るディスペンサ装置を概略的に示す構成図。
【図２】図２（ａ）は、図１に示すノズルを取り出して示す斜視部、図２（ｂ）は、図２（ａ）の一部を切除した断面図。
【図３】図３（ａ）は、図１に示すノズルを取り出して示す斜視図、図３（ｂ）は、図３（ａ）の一部を切除した断面図。
【図４】図４（ａ）（ｂ）は、図３（ａ）（ｂ）に示すノズルの機能を説明するために示す断面図。
【図５】ノズルの変形例を示す斜視図。
【図６】図６（ａ）（ｂ）は、図５に示すノズルの機能を説明するために示す断面図。
【図７】制御部の動作の一例を示すフローチャート。
【図８】図７の第１変形例を示すフローチャート。
【図９】図７の第２変形例を示すフローチャート。
【発明を実施するための形態】
【０００９】
以下、実施の形態について、図面を参照して説明する。図面において、同一部分には同一符号を付している。
【００１０】
図１において、ディスペンサ装置１０は、液体タンク１１、第１ポンプ１２、第２ポンプ１３、混合器１４、メッシュ１５、ノズル１６、センサ１７、制御部１８、電源部１９、第１パイプ２０、第２パイプ２１、第３パイプ２２などを具備している。
【００１１】
液体タンク１１は、例えば石鹸水や殺菌液などの液体を収容する。殺菌液は、例えばアルコールを含んでいてもよい。
【００１２】
第１ポンプ１２は、例えば電動ポンプであり、図示せぬモータを備えている。第１ポンプ１２は、モータが駆動されることにより、第１パイプ２０によって液体タンク１１内の液体を汲み上げ、第２パイプ２１を通して混合器１４に供給する。
【００１３】
第２ポンプ１３も例えば電動ポンプであり、図示せぬモータを備えている。第２ポンプ１３は、モータが駆動されることにより、第２ポンプ１３の外部から気体、例えば空気を取り込み、第３パイプを通して混合器１４に供給する。
【００１４】
混合器１４は、第１ポンプ１２により供給された液体と、第２ポンプ１３により供給された気体を混合する。
【００１５】
メッシュ１５は、混合器１４から供給される液体と気体から泡状の液体を生成する。メッシュ１５に代えて、例えばスポンジのような多孔質の材料を用いることも可能である。
【００１６】
尚、混合器１４において、液体と気体を混合することにより十分な泡を発生することができる場合、メッシュ１５は不要である。また、メッシュ１５において、液体と気体を充分に混合できる場合、混合器１４は、不要である。以下、混合器１４とメッシュ１５を合わせて単に泡生成部とも言う。
【００１７】
ノズル１６は、メッシュ１５の下部に設けられている。ノズル１６は、後述するように吐出口を有し、メッシュ１５により生成された泡状の液体を吐出口から吐出する。
【００１８】
センサ１７は、例えばノズル１６の近傍に設けられ、例えば使用者の手など、対象物が接近したことを検出する。センサ１７は、例えば赤外線センサや超音波センサなどを適用することが可能である。
【００１９】
電源部１９は、第１ポンプ１２、第２ポンプ１３、センサ１７、制御部１８に動作に必要な電力を供給する。電源部１９は、商用電源を直流に変換する回路、又は電池を適用することも可能である。
【００２０】
制御部１８は、センサ１７の出力信号に従って、第１ポンプ１２、及び第２ポンプ１３の動作を制御する。すなわち、センサ１７により、対象物が検出された場合、制御部１８は、第１ポンプ１２を駆動して液体タンク１１から液体を汲み上げ、混合器１４に供給するとともに、第２ポンプ１３を駆動して気体を混合器１４に供給する。
【００２１】
混合器１４に供給された液体と気体は、混合されてメッシュ１５に供給され、泡状の液体とされてノズル１６から吐出される。
【００２２】
制御部１８は、第１ポンプ１２及び第２ポンプ１３を駆動してから一定時間を経過した後、第１ポンプ１２及び第２ポンプ１３を停止させ、泡の吐出を停止させる。
【００２３】
さらに、制御部１８は、泡の吐出停止直前において、第１ポンプ１２及び第２ポンプ１３の少なくとも１つの動作を制御し、泡の吐出開始時より、液体に比べて気体の比率が高い泡を生成する。ここで、吐出開始時とは、泡がノズル１６から吐出されるとき、及び吐出されてから、後述する第１時間の間を含む。
【００２４】
換言すると、制御部１８は、泡の吐出を停止させる前において、第１時間で吐出された泡状の液体の量より気体の量の比率が高い泡を生成させる。このため、ディスペンサ装置１０の動作が停止した状態において、ノズル１６に残存する泡は、気体の量に比べて液体の量が少ない。したがって、泡が消えて液化する速度より、泡が蒸発又は気化する速度を速くさせることが可能である。
【００２５】
また、ノズル１６に残存する泡は、液体の量が少なく、軽い泡であるため、ノズル１６から垂れにくい。仮に、ノズル１６に残存する泡の蒸発が遅れて消泡し、液化した場合においても、液体の量が少ないため、ノズル１６から垂れることを防止できる。
【００２６】
尚、制御部１８の具体的な動作については、後述する。
【００２７】
図２（ａ）（ｂ）は、ノズル１６の一例を示している。
【００２８】
ノズル１６は、ノズル本体１６−１を有し、ノズル本体１６−１の例えば湾曲された下面１６−２は、例えば円錐台形状の突出部１６−３を有している。突出部１６−３は、中央部に吐出口１６ａを有している。吐出口１６ａは、泡生成部において生成された泡状の液体を吐出する。吐出口１６ａの周囲の突出部１６−３には、所定間隔離間して、例えば円柱状の複数の突起１６ｂ、１６ｃ、１６ｄが設けられている。突起１６ｂ、１６ｃ、１６ｄは、吐出口１６ａから吐出された泡状の液体を吐出口１６ａより下方へ案内する、例えばパイロットピンとして作用する。
【００２９】
突起の数は、３個に限定されるものではなく、４個以上であってもよい。また、突起の形状は、円柱状に限定されるものではなく、複数の角部を有する角柱状であってもよい。さらに、突出部１６−３は、必ずしも必要ではなく、吐出口１６ａ及び突起１６ｂ、１６ｃ、１６ｄは、ノズル本体１６の下面１６−２に設けられていてもよい。
【００３０】
吐出口１６ａから吐出された泡状の液体は、自重により下降する。しかし、上記のように、吐出が停止される直前の泡は、液体より気体の比率が高く、軽い泡である。軽い泡は、吐出口１６ａから吐出された場合、吐出方向が不安定である。このため、突起１６ｂ、１６ｃ、１６ｄにより、泡の吐出方向を定めることができる。
【００３１】
しかも、突起１６ｂ、１６ｃ、１６ｄの相互間は空間であるため、突起１６ｂ、１６ｃ、１６ｄの相互間に留まった泡は、空気との接触面積が大きく、自然乾燥による泡の蒸発を促進できる。
【００３２】
図３（ａ）（ｂ）、図４（ａ）（ｂ）は、ノズル１６の変形例を示している。
【００３３】
図３（ａ）（ｂ）に示すように、吐出口１６ａの周囲で、突起１６ｂ、１６ｃ、１６ｄの外側、及び突起１６ｂ、１６ｃ、１６ｄの相互間には、複数のリブ１６ｅ、１６ｆ、１６ｇ、１６ｈ、１６ｉ、１６ｊが設けられている。
【００３４】
図４（ａ）に示すように、リブ１６ｅ、１６ｆ、１６ｇ、１６ｈ、１６ｉ、１６ｊは、水平面とほぼ平行な面１６ｋを有している。
【００３５】
このため、図４（ｂ）に示すように、吐出口１６ａから吐出され、突起１６ｂ、１６ｃ、１６ｄの相互間から漏れた泡状の液体は、リブ１６ｅ、１６ｆ、１６ｇ、１６ｈ、１６ｉ、１６ｊの各面１６ｋに、例えば表面張力のような分子間力や泡の粘着力によって保持される。
【００３６】
このように、泡状の液体は、複数のリブ１６ｅ、１６ｆ、１６ｇ、１６ｈ、１６ｉ、１６ｊによって保持されるため、空気との接触面積を増加でき、自然乾燥による泡の蒸発を促進することができる。したがって、泡状の液体がリブ１６ｅ、１６ｆ、１６ｇ、１６ｈ、１６ｉ、１６ｊから垂れることを防止できる。
【００３７】
図５、図６（ａ）（ｂ）は、リブの変形例を示している。
【００３８】
図３（ａ）（ｂ）、図４（ａ）（ｂ）に示すリブ１６ｅ、１６ｆ、１６ｇ、１６ｈ、１６ｉ、１６ｊは、水平面とほぼ平行な面１６ｋを有している。
【００３９】
これに対して、図５、図６（ａ）に示すリブ１６ｅ、１６ｆ、１６ｇ、１６ｈ、１６ｉ、１６ｊは、吐出口１６ａから離れるに従って、吐出口１６ａより下方に向かう傾斜面１６ｌをそれぞれ有している。
【００４０】
このため、図６（ｂ）に示すように、突起１６ｂ、１６ｃ、１６ｄの相互間から漏れた液体は、傾斜面１６ｌに沿って降下し、傾斜面１６ｌに保持される。すなわち、突起１６ｂ、１６ｃ、１６ｄの相互間から漏れた液体は、リブ１６ｅ、１６ｆ、１６ｇ、１６ｈ、１６ｉ、１６ｊの各傾斜面１６ｌ上を吐出口１６ａから離れる方向に移動する。したがって、泡状の液体が吐出口１６ａ付近に集まることを防止でき、泡状の液体をリブ１６ｅ、１６ｆ、１６ｇ、１６ｈ、１６ｉ、１６ｊの各傾斜面１６ｌに沿って広い範囲に広げることができる。
【００４１】
このため、図３（ａ）（ｂ）、図４（ａ）（ｂ）に示すように、リブ１６ｅ、１６ｆ、１６ｇ、１６ｈ、１６ｉ、１６ｊが水平面とほぼ平行な面１６ｋを有する場合に比べて、自然乾燥による泡の蒸発を促進させることができ、液体がリブ１６ｅ、１６ｆ、１６ｇ、１６ｈ、１６ｉ、１６ｊから垂れることを防止できる。
【００４２】
泡状の液体が吐出口１６ａ付近に集まった場合、自然乾燥による泡の蒸発が妨げられるばかりではなく、消泡により生じた液体が集まり、大きな液滴となる。このため、液滴は自重により、落下し易くなる。しかし、リブ１６ｅ、１６ｆ、１６ｇ、１６ｈ、１６ｉ、１６ｊに、吐出口１６ａから離れるに従って、吐出口１６ａより下方に向かう傾斜面１６ｌを設けることにより、液垂れを防止することが可能である。
【００４３】
尚、本実施形態において、リブは突起１６ｂ、１６ｃ、１６ｄの外側、及び突起１６ｂ、１６ｃ、１６ｄの相互間に設けられているが、これに限定されるものではなく、少なくとも突起１６ｂ、１６ｃ、１６ｄの相互間に設けられ、突起１６ｂ、１６ｃ、１６ｄの相互間から漏れた液体を保持できればよい。
（作用）
図７は、制御部１８の動作を示している。図７を参照して、上記構成のディスペンサ装置１０の作用について説明する。
【００４４】
センサ１７は、例えば赤外線を検出領域内に照射し、制御部１８は、センサ１７の出力信号に基づき、対象物としての使用者の手が検出されたかどうかを判断する（Ｓ１１）。この結果、使用者の手が検出されない場合（Ｓ１１、ＮＯ）、この動作が繰り返される。
【００４５】
一方、センサ１７により使用者の手が検出されると（Ｓ１１、ＹＥＳ）、制御部１８は、第１ポンプ１２及び第２ポンプ１３を駆動する（Ｓ１２）。このため、第１ポンプ１２により第１パイプ２０を通って液体タンク１１内の液体が吸い上げられ、第２パイプを通って液体が混合器１４内に送られる。これとともに、第２ポンプ１３により気体が第３パイプ２２を通って混合器１４内に供給される。
【００４６】
混合器１４内に供給された液体と気体は混合されてメッシュ１５に供給される。混合された液体と気体がメッシュ１５を通過することにより、泡状の液体が生成される。この泡状の液体は、ノズル１６から吐出される。
【００４７】
上記第１ポンプ１２及び第２ポンプ１３の駆動は、第１時間実行される（Ｓ１３、ＮＯ）。第１時間は、予め定められた一定量の泡状の液体を吐出するために必要な時間である。第１時間を経過すると（Ｓ１３、ＹＥＳ）、第２ポンプ１３が加速される（Ｓ１４）。このため、泡生成部において、液体の量に対して気体の量が多い泡状の液体が生成され、第１時間より短い第２時間の間、ノズル１６から吐出される（Ｓ１５、ＮＯ）。第２時間は、泡状の液体の吐出が停止される前の僅かな時間である。
【００４８】
第２時間が経過すると（Ｓ１５、ＹＥＳ）、第１ポンプ１２及び第２ポンプ１３が停止され、泡状の液体の吐出が停止される。
（実施形態の効果）
上記実施形態によれば、泡状の液体の吐出が停止される前に、吐出開始時に比べて、液体より気体の比率が高い泡が生成される。このため、ノズル１６の吐出口１６ａ内や、吐出口１６ａより外部の突起１６ｂ、１６ｃ、１６ｄの間、及びリブ１６ｅ、１６ｆ、１６ｇ、１６ｈ、１６ｉ、１６ｊの面１６ｋ上、又は傾斜面１６ｌ上に残存する泡は、第１時間で吐出された泡状の液体より気体の比率が高い。したがって、吐出口１６ａ内や、吐出口１６ａより外部の突起１６ｂ、１６ｃ、１６ｄ、及びリブ１６ｅ、１６ｆ、１６ｇ、１６ｈ、１６ｉ、１６ｊの面１６ｋ、又は傾斜面１６ｌに残存する泡は、自然乾燥により蒸発し易いため、吐出口１６ａ、突起１６ｂ、１６ｃ、１６ｄ、及びリブ１６ｅ、１６ｆ、１６ｇ、１６ｈ、１６ｉ、１６ｊから液体が垂れることを防止できる。
【００４９】
また、ノズル１６は、泡状の液体を吐出する吐出口１６ａを有し、突起１６ｂ、１６ｃ、１６ｄは、吐出口１６ａの周囲に所定間隔離間して設けられ、吐出口１６ａから吐出される泡状の液体を吐出口１６ａより下方に案内して保持する。このため、ディスペンサ装置１０の動作が停止した場合、吐出口１６ａから吐出された泡は、突起１６ｂ、１６ｃ、１６ｄにより保持される。突起１６ｂ、１６ｃ、１６ｄにより保持された泡は、第１時間で吐出された泡状の液体より液体の比率が低いため、自然乾燥により蒸発し易く、液垂れを防止できる。
【００５０】
しかも、泡状の液体が蒸発する以前に、泡が消えて液化した場合においても、突起１６ｂ、１６ｃ、１６ｄに保持されている液体の量は、第１時間で吐出された泡状の液体より少ないため、液垂れを防止することができる。
【００５１】
また、突起１６ｂ、１６ｃ、１６ｄは、吐出口１６ａの周囲に所定間隔離間して設けられている。このため、突起１６ｂ、１６ｃ、１６ｄにより保持された泡状の液体、又は消泡された液体は、空気との接触面積が大きいため、突起１６ｂ、１６ｃ、１６ｄから垂れる前に蒸発する。したがって、突起１６ｂ、１６ｃ、１６ｄに保持された泡状の液体、又は消泡された液体が垂れることを防止できる。
【００５２】
さらに、ノズル１６は、少なくとも突起１６ｂ、１６ｃ、１６ｄの相互間に設けられたリブ１６ｅ、１６ｆ、１６ｇ、１６ｈ、１６ｉ、１６ｊを有し、リブ１６ｅ、１６ｆ、１６ｇ、１６ｈ、１６ｉ、１６ｊは、水平面とほぼ平行な面１６ｋを有している。このため、突起１６ｂ、１６ｃ、１６ｄの間からリブ１６ｅ、１６ｆ、１６ｇ、１６ｈ、１６ｉ、１６ｊに泡状の液体が流れ出した場合においても、泡状の液体は、リブ１６ｅ、１６ｆ、１６ｇ、１６ｈ、１６ｉ、１６ｊの面１６ｋに保持された状態で蒸発する。したがって、液垂れを防止することが可能である。
【００５３】
さらに、リブ１６ｅ、１６ｆ、１６ｇ、１６ｈ、１６ｉ、１６ｊは、吐出口１６ａから離れるに従って、吐出口１６ａより下方となるように傾斜された傾斜面１６ｌを有することができる。この場合、水平面とほぼ平行な面１６ｋに比べて、突起１６ｂ、１６ｃ、１６ｄの相互間から漏れた泡状の液体を傾斜面１６ｌの広い範囲に亘って保持することが可能であるため、傾斜面１６ｌ上で、泡状の液体の蒸発を促進させることができ、液体がリブ１６ｅ、１６ｆ、１６ｇ、１６ｈ、１６ｉ、１６ｊから垂れることを防止できる。
（第１変形例）
図８は、図７の第１変形例を示している。
【００５４】
図７に示す実施形態の場合、制御部１８は、第１ポンプ１２及び第２ポンプ１３を駆動し、第１時間経過した後、第２ポンプ１３を加速し、気体の量を増加することにより、液体の量に対して気体の量が多い泡を生成した。
【００５５】
これに対して、図８に示す第１変形例の場合、気体の量より液体の量を低減することによって、液体より気体の比率が高い泡を生成する。すなわち、制御部１８は、第１ポンプ１２及び第２ポンプ１３を駆動し（Ｓ１１，Ｓ１２）、第１時間経過した後（Ｓ１３、ＹＥＳ）、第１ポンプ１２を減速する（Ｓ１７）。このため、泡生成部に供給される液体の量が低減され、第１時間で吐出された泡状の液体に比べて、気体より液体の比率が低い泡、換言すると、液体より気体の比率が高い泡が生成される。
【００５６】
第２変形例によっても、実施形態と同様に、泡の吐出を停止する前に、第１時間で吐出された泡状の液体に比べて、液体より気体の比率が高い泡を生成することができる。しかも、第２変形例の場合、液体の量を低減しているため、吐出口１６ａ内や、突起１６ｂ、１６ｃ、１６ｄの間、及びリブ１６ｅ、１６ｆ、１６ｇ、１６ｈ、１６ｉ、１６ｊの面１６ｋ上、又は傾斜面１６ｌ上に残存する泡状の液体の絶対量を低減することができる。
【００５７】
このため、上記実施形態に比べて、吐出口１６ａ内や、突起１６ｂ、１６ｃ、１６ｄの間、及びリブ１６ｅ、１６ｆ、１６ｇ、１６ｈ、１６ｉ、１６ｊの面１６ｋ上、又は傾斜面１６ｌ上に残存する泡状の液体の蒸発を、さらに促進できる。したがって、吐出口１６ａ、突起１６ｂ、１６ｃ、１６ｄ、及びリブ１６ｅ、１６ｆ、１６ｇ、１６ｈ、１６ｉ、１６ｊからの液垂れを一層防止できる。
（第２変形例）
図９は、図７の第２変形例を示している。
【００５８】
第２変形例も第１変形例と同様に液体の量を低減することによって、第１時間で吐出された泡状の液体に比べて、液体より気体の比率が高い泡を生成する。
【００５９】
すなわち、図９に示すように、制御部１８は、第１ポンプ１２及び第２ポンプ１３を駆動し（Ｓ１１，Ｓ１２）、第１時間を経過した後（Ｓ１３）、第１ポンプ１２を停止させ（Ｓ１８）、第２時間経過後（Ｓ１５）、第２ポンプ１３を停止させる（Ｓ１９）。このように、気体より液体の供給を先に停止させることにより、第１時間で吐出された泡状の液体に比べて、液体より気体の比率が高い泡を生成することができる。
【００６０】
したがって、吐出口１６ａ内や、突起１６ｂ、１６ｃ、１６ｄの間、及びリブ１６ｅ、１６ｆ、１６ｇ、１６ｈ、１６ｉ、１６ｊの面１６ｋ上、又は傾斜面１６ｌ上に残存する泡状は、第１時間で吐出された泡状の液体に比べて、液体の量が気体に比べて少ない。このため、吐出口１６ａ内や、突起１６ｂ、１６ｃ、１６ｄの間、及びリブ１６ｅ、１６ｆ、１６ｇ、１６ｈ、１６ｉ、１６ｊの面１６ｋ上、又は傾斜面１６ｌ上に残存する泡状は、自然乾燥により蒸発し易いため、吐出口１６ａ、突起１６ｂ、１６ｃ、１６ｄ、及びリブ１６ｅ、１６ｆ、１６ｇ、１６ｈ、１６ｉ、１６ｊから液体が垂れることを一層防止できる。
【００６１】
その他、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６２】
１０…ディスペンサ装置、１２…第１ポンプ、１３…第２ポンプ、１４…混合器（泡生成部）、１５…メッシュ（泡生成部）、１６…ノズル、１６−１…ノズル本体、１６ａ…吐出口、１６ｂ、１６ｃ、１６ｄ…突起、１６ｅ、１６ｆ、１６ｇ、１６ｈ、１６ｉ、１６ｊ…リブ、１６ｋ…面、１６ｌ…傾斜面。
【図１】
2019018144.tif 000003
【図２】
2019018144.tif 000004
【図３】
2019018144.tif 000005
【図４】
2019018144.tif 000006
【図５】
2019018144.tif 000007
【図６】
2019018144.tif 000008
【図７】
2019018144.tif 000009
【図８】
2019018144.tif 000010
【図９】
2019018144.tif 000011